(57)【要約】【課題】送電装置に対して受電装置が傾いていても高い給電効率が維持できる非接触給電トランスの送電装置を提供する。【解決手段】中心部から放射状に延びる複数のコア４１〜４４と、複数のコアの各々に巻回された複数の一次側コイル５１〜５４と、複数の一次側コイルに供給する交流電流を制御する電流制御部と、を備え、電流制御部は、複数の一次側コイルに供給する交流電流により回転磁界が生成されるように、複数の一次側コイルの少なくとも一部に位相を違えた交流電流を供給する。そのため、受電装置が送電装置に対して傾いていても、その傾きにベクトルが一致する磁束が回転磁界によりもたらされるため、受電装置の二次側コイルには交流電流が誘起される。【選択図】図１
2018107218.tif 000002
【特許請求の範囲】
【請求項１】
対向する受電装置に非接触給電を行う非接触給電トランスの送電装置であって、
中心部から放射状に延びる複数のコアと、
前記複数のコアの各々に巻回された複数の一次側コイルと、
前記複数の一次側コイルに供給する交流電流を制御する電流制御部と、
を備え、
前記電流制御部は、前記複数の一次側コイルに供給する交流電流により回転磁界が生成されるように、前記複数の一次側コイルの少なくとも一部に位相を違えた交流電流を供給することを特徴とする送電装置。
【請求項２】
請求項１に記載の非接触給電トランスの送電装置であって、
前記複数のコアは、隣接するコアとの間の前記中心部を挟む角度がそれぞれ均一であることを特徴とする送電装置。
【請求項３】
請求項２に記載の非接触給電トランスの送電装置であって、
前記複数のコアの前記中心部を対称中心とする点対称の位置には、他のコアが存在することを特徴とする送電装置。
【請求項４】
請求項３に記載の非接触給電トランスの送電装置であって、
前記点対称の位置に在る二つのコアに巻回された一次側コイルが導通されて一次側コイルの対を形成し、前記電流制御部は、一次側コイルの異なる前記対に対して位相を違えた交流電流を供給することを特徴とする送電装置。
【請求項５】
請求項１から４のいずれかに記載の非接触給電トランスの送電装置であって、
前記コアの各々は、前記中心部から最も離れた、前記一次側コイルが巻回されていない先端部に、該コアの幅方向に延びる拡張部を備えることを特徴とする送電装置。
【請求項６】
請求項４に記載の非接触給電トランスの送電装置であって、
前記コアの各々は、前記中心部から最も離れた、前記一次側コイルが巻回されていない先端部の前記受電装置に対向する面に凸部を有することを特徴とする送電装置。
【請求項７】
請求項１に記載の非接触給電トランスの送電装置であって、
前記コアの各々は、前記一次側コイルが巻回されていない前記中心部の前記受電装置に対向する面に第１の凸部を有し、該中心部から最も離れた、前記一次側コイルが巻回されていない先端部の前記受電装置に対向する面に第２の凸部を有し、前記第１の凸部と前記第２の凸部との間のコア部分に巻回された一次側コイルに供給される交流電流が前記電流制御部により個別に制御されることを特徴とする送電装置。
【発明の詳細な説明】
【技術分野】
【０００１】
本発明は、二次側コイルを備える受電装置に対向して非接触給電を行う、一次側コイルを備える送電装置に関し、非接触給電トランスを構成する送電装置及び受電装置の相互間に位置ずれが生じていても効率的な非接触給電ができるようにしたものである。
【背景技術】
【０００２】
非接触給電は、コンセントを用いずにワイヤレスで給電を行う方式であり、電気シェーバー等の家電製品やモバイル機器等の二次電池を備える製品に充電電力を供給するために広く利用されている。また、充電に大電力を必要とする無人搬送車や電気自動車等の移動体に非接触給電を行うシステムも実用化されつつある。
【０００３】
大電力給電を行う非接触給電トランスの送電装置及び受電装置では、図７（ａ）（断面図）、図７（ｂ）（平面図）に示すように、フラットなフェライト円板から成る磁心コア２１、３１の片面に渦巻き状に巻回されたコイル（送電装置では一次側コイル２２、受電装置では二次側コイル３２）を配置したものが知られており、また、図８（ａ）（断面図）、図８（ｂ）（側面図）に示すように、矩形状のフェライトコア６１、６３の周りにコイル（送電装置では一次側コイル６２、受電装置では二次側コイル６４）を巻回したものが知られている（下記特許文献１参照）。
【０００４】
これらの非接触給電トランスでは、図７及び図８の送電装置の一次側コイル２２、６２に交流電流が供給され、それに伴って発生する交流磁界の作用で、ギャップを介して対向する受電装置の二次側コイル３２、６４に二次側電流が誘起される。図７（ａ）における点線Ｄ及び図８（ａ）における点線６７は、一次側コイル２２、６２に交流電流を流したときの主磁束を示している。主磁束の向きは、一次側コイルに供給する交流電流の反転に応じて反転する。
【０００５】
非接触給電システムでは、対向する送電装置と受電装置とが正対位置からずれると給電効率が低下する欠点がある。下記特許文献１には、円形コイルを備える図７の非接触給電トランスに比べて、電線をコアに巻回した図８の非接触給電トランス(ソレノイドコイル形状の送電・受電装置)の方が、送電装置と受電装置との水平方向の位置ずれや、垂直方向のギャップ長変動に対して許容量が大きいと記載されている。
【先行技術文献】
【特許文献】
【０００６】
【特許文献１】特開２０１１−５０１２７号公報
【発明の概要】
【発明が解決しようとする課題】
【０００７】
しかし、図９に示すように、直線状のコアに電線を巻回したソレノイドコイル形状の送電装置４１及び受電装置４２では、送電装置４１に対して受電装置４２が傾くと、送電装置４１から受電装置４２に流入する磁束が減少し、給電効率が低下する。極端な例では、送電装置４１に対して受電装置４２が９０度回転した状態にあると、受電装置４２への給電ができなくなる。
【０００８】
本発明は、こうした事情を考慮して創案したものであり、送電装置に対して受電装置が傾いていても高い給電効率が維持できる非接触給電トランスの送電装置を提供することを目的としている。
【課題を解決するための手段】
【０００９】
本発明は、対向する受電装置に非接触給電を行う非接触給電トランスの送電装置であって、中心部から放射状に延びる複数のコアと、複数のコアの各々に巻回された複数の一次側コイルと、複数の一次側コイルに供給する交流電流を制御する電流制御部と、を備え、電流制御部は、複数の一次側コイルに供給する交流電流により回転磁界が生成されるように、複数の一次側コイルの少なくとも一部に位相を違えた交流電流を供給することを特徴とする。
そのため、受電装置が送電装置に対して傾いていても、回転磁界により受電装置の二次側コイルに交流電流を誘起させることができる。
【００１０】
また、本発明の非接触給電トランスの送電装置では、複数のコアは、隣接するコアとの間の中心部を挟む角度がそれぞれ均一であるように設定する。
そうすることで、回転磁界の生成が容易になる。
【００１１】
また、本発明の非接触給電トランスの送電装置では、複数のコアの中心部を対称中心とする点対称の位置に、他のコアが存在するように構成することが望ましい。
点対称の位置に在る二つのコアは一体に繋がるコアとして構成することができ、製造が容易である。
【００１２】
また、本発明の非接触給電トランスの送電装置では、点対称の位置に在る二つのコアに巻回された一次側コイルを導通させて一次側コイルの対を形成し、電流制御部が、一次側コイルの異なる対に対して位相を違えた交流電流を供給するようにしてもよい。
そうすることで、配線や一次側コイルへの電流制御を簡略化できる。
【００１３】
また、本発明の非接触給電トランスの送電装置では、コアの各々は、中心部から最も離れた、一次側コイルが巻回されていない先端部に、各コアの幅方向に延びる拡張部を備えるようにしてもよい。
そうすることで、回転磁界による隣接コア間の磁束を増やすことができる。
【００１４】
また、本発明の非接触給電トランスの送電装置では、点対称の位置に在る二つのコアに巻回する一次側コイルを導通させる場合、それらのコアの中心部から最も離れた、一次側コイルが巻回されていない先端部の受電装置に対向する面に凸部を設けることが望ましい。
コアに出入りする磁束が、この凸部に集中するため、非接触給電に寄与する磁束を増やすことができる。
【００１５】
また、本発明の非接触給電トランスの送電装置では、各コアに巻回する一次側コイルが独立している場合、各コアには、一次側コイルが巻回されていない中心部の受電装置に対向する面に第１の凸部を設け、中心部から最も離れた、一次側コイルが巻回されていない先端部の受電装置に対向する面に第２の凸部を設け、第１の凸部と第２の凸部との間のコア部分に巻回した一次側コイルに供給する交流電流を電流制御部により個別に制御することが望ましい。
各一次側コイルへの交流電流の供給で誘起される磁束の出入りが第１の凸部及び第２の凸部に集中するため、非接触給電に寄与する磁束を増やすことができる。
【発明の効果】
【００１６】
本発明の非接触給電トランスの送電装置は、受電装置が送電装置に対し傾いていても高い給電効率で非接触給電を行うことができる。
【図面の簡単な説明】
【００１７】
【図１】本発明の第１の実施形態に係る非接触給電トランスの送電装置を示す平面図
【図２】二相の交流電流と、それにより生成される回転時間を示す図
【図３】本発明の第２の実施形態に係る非接触給電トランスの送電装置を示す平面図
【図４】図１の送電装置におけるコアの断面図
【図５】三相の交流電流を供給する送電装置を示す図
【図６】三相の交流電流と、それにより生成される回転時間を示す図
【図７】従来の円形コイルを備える送電・受電装置を示す図
【図８】従来のソレノイドコイル形状の送電・受電装置を示す図
【図９】ソレノイドコイル形状の送電装置に対して傾いた受電装置を示す図
【発明を実施するための形態】
【００１８】
（第１の実施形態）
図１は、第１の実施形態に係る非接触給電トランスの送電装置を示している。
この送電装置は、一次側コイルが巻回された十字構造のコアを備えている。
十字構造コアの第１のコア部４１には第１の一次側コイル５１が巻回され、第２のコア部４２には第２の一次側コイル５２が巻回され、第３のコア部４３には第３の一次側コイル５３が巻回され、そして、第４のコア部４４には第４の一次側コイル５４が巻回されている。
【００１９】
第１のコア部４１と第３のコア部４３との角度、第３のコア部４３と第２のコア部４２との角度、第２のコア部４２と第４のコア部４４との角度、及び、第４のコア部４４と第１のコア部４１との角度は、いずれも９０度であり、第１のコア部４１と第２のコア部４２とは、十字の中心を対称中心とする点対称の位置にあり、同様に、第３のコア部４３と第４のコア部４４とは、点対称の位置にある。
【００２０】
第１のコア部４１に巻回された第１の一次側コイル５１と第２のコア部４２に巻回された第２の一次側コイル５２とは電気的に接続されており、これらの一次側コイル５１、５２には、Ｌ１−ａ、Ｌ１−ｂを通じて電流制御部（不図示）から交流電流が供給される。
また、第３のコア部４３に巻回された第３の一次側コイル５３と第４のコア部４４に巻回された第４の一次側コイル５４とは電気的に接続されており、これらの一次側コイル５３、５４には、Ｌ２−ａ、Ｌ２−ｂを通じて電流制御部（不図示）から交流電流が供給される。
【００２１】
図２（ａ）には、電流制御部（不図示）が一次側コイル５１、５２に供給する交流電流ｉｘと、一次側コイル５３、５４に供給する交流電流ｉｙとを例示している。一次側コイル５３、５４には、一次側コイル５１、５２に供給する交流電流ｉｘより位相が９０度遅れた（又は９０度進んだ）交流電流ｉｙが供給される。
このとき、一次側コイル５１、５２を備えるソレノイド及び一次側コイル５３、５４を備えるソレノイドからは、それぞれ電流に比例する磁束が形成され、それらの磁束が合成されて図２（ｂ）に示す回転磁界が生成される。
【００２２】
そのため、受電装置のソレノイドコイル形状の二次側コイルが、十字構造の送電装置に対して回転した（傾いた）位置に止まっていても、その回転方向にベクトルが一致する磁束が回転磁界によりもたらされるため、十字構造の送電装置と二次側コイルとの傾き（回転角度）に関係なく、二次側コイルには、回転磁界により交流電流が誘起される。
【００２３】
（第２の実施形態）
図３は、第２の実施形態に係る非接触給電トランスの送電装置を示している。
この送電装置は、十字構造コアの第１のコア部４１、第２のコア部４２、第３のコア部４３及び第４のコア部４４の先端に、各コア部の幅方向（十字の中心から放射状に延びるコア部の伸延方向に対して直交する方向）に拡がる拡張部４１１、４２１、４３１、４４１を備えている。
【００２４】
また、第１のコア部４１に巻回された第１の一次側コイル５１、第２のコア部４２に巻回された第２の一次側コイル５２、第３のコア部４３に巻回された第３の一次側コイル５３、及び、第４のコア部４４に巻回された第４の一次側コイル５５は、それぞれ、独立しており、第１の一次側コイル５１はＬ１−ａ、Ｌ１−ｂを通じて、第２の一次側コイル５２はＬ３−ａ、Ｌ３−ｂを通じて、第３の一次側コイル５３はＬ４−ａ、Ｌ４−ｂを通じて、また、第４の一次側コイル５４はＬ２−ａ、Ｌ２−ｂを通じて、電流制御部（不図示）から、回転磁界を生成するように位相が制御された交流電流が供給される。
各コア部の拡張部４１１、４２１、４３１、４４１は、各コア部の先端から流入・流出する磁束の拡散方向をコア部の幅方向に広げる働きをしている。そのため、回転磁界における隣接コア間の磁束を増やすことができ、受電装置が送電装置に対して傾いている場合の給電効率を高めることができる。
【００２５】
（第３の実施形態）
図４は、第３の実施形態に係る送電装置のコアの断面図を示している。
図４（ａ）は、図１の十字構造コアの第１のコア部４１及び第２のコア部４２の断面を示している。第１のコア部４１及び第２のコア部４２は、第３のコア部４３及び第４のコア部４４と共に、均一な厚さを保って一体化されている。
【００２６】
図４（ｂ）は、導通する第１の一次側コイル５１と第２の一次側コイル５２とが巻回される第１のコア部４１の一端に第１の凸部４１２を設け、第２のコア部４２の他端に第２の凸部４２２を設けた十字構造コアの断面を示している。
第１の凸部４１２及び第２の凸部４２２は、受電装置と対向する面に設けられる。
なお、導通する第３の一次側コイル５３と第４の一次側コイル５４とが巻回される第３のコア部４３及び第４のコア部４４にも、同様に、両端に凸部を設ける。
これらの凸部に磁束の出入りが集中し、その磁束が受電装置の二次側コイルと鎖交するため、凸部の存在により、非接触給電に寄与する磁束を増やすことができ、給電効率を高めることができる。
【００２７】
また、図４（ｃ）は、図３に示すように、第１のコア部４１、第２のコア部４２、第３のコア部４３及び第４のコア部４４の各々に、独立した第１の一次側コイル５１、第２の一次側コイル５２、第３の一次側コイル５３、及び、第４の一次側コイル５５を形成する場合の凸部の形成位置を示している。この場合、独立した各一次側コイル５１、５２、５３、５４の両端に当たる十字構造コアの中心部と、各コア部４１、４２、４３、４４の先端とに凸部を設ける。凸部の形成面は受電装置に対向する面である。
【００２８】
なお、ここでは、非接触給電トランスの送電装置として十字のコアを備える４極構造の例を示したが、中心部から放射状に延びるコアの数は、４以外の数であってもよい。
図５には、６極構造の送電装置を示し、図６には、そのソレノイドコイル形状の各一次側コイルに供給する３相の交流電流と、それにより生成される回転磁界を例示している。
【００２９】
また、本発明の送電装置から給電を受ける非接触給電トランスの受電装置は、ソレノイドコイル形状以外のものでも良い。図７に示すように円形コイルを備えるものでもよい。また、図１や図３に示すように、十字構造を備えるものであってもよい。
【００３０】
なお、各一次側コイルに異なる位相の電流を供給する電流制御部については、特開２０１１−１３９５７８号公報、特開２００９−２９１０３５号公報等に記載され、周知であるため、ここでは詳述していない。
【産業上の利用可能性】
【００３１】
本発明の非接触給電トランスの送電装置は、相対的に傾いた状態の受電装置に対しても効率的な非接触給電を行うことが可能であり、二次電池を備える家電製品やモバイル機器、無人搬送車や電気自動車、電動アシスト自転車や電動アシスト三輪車、電動バイク等の非接触給電に広く利用することができる。
【符号の説明】
【００３２】
２１    磁心コア
２２    一次側コイル
３１    磁心コア
３２    二次側コイル
４１    第１のコア部
４２    第２のコア部
４３    第３のコア部
４４    第４のコア部
５１    第１の一次側コイル
５２    第２の一次側コイル
５３    第３の一次側コイル
５４    第４の一次側コイル
６１    フェライトコア
６２    一次側コイル
６３    フェライトコア
６４    二次側コイル
６７    主磁束
４１１  拡張部
４１２  第１の凸部
４２１  拡張部
４２２  第２の凸部
４３１  拡張部
４４１  拡張部
【図１】
2018107218.tif 000003
【図２】
2018107218.tif 000004
【図３】
2018107218.tif 000005
【図４】
2018107218.tif 000006
【図５】
2018107218.tif 000007
【図６】
2018107218.tif 000008
【図７】
2018107218.tif 000009
【図８】
2018107218.tif 000010
【図９】
2018107218.tif 000011